(57)【特許請求の範囲】
【請求項１】
前面と、これに対向する背面と、前記前面及び背面の間に設けられた対向する一対の側面と、前面及び背面の上縁から延設された一対の上側外フラップと、前記一対の側面の上縁から延設された一対の上側内フラップと、前面及び背面の下縁から延設された一対の下側外フラップと、前記一対の側面の下縁から延設された一対の下側内フラップとを具備しており、前記前面に形成された２本の縦切断線と、前記前面の上縁の端部と一対の前記縦切断線の上端との間に形成された２本の境目切断線と、前記縦切断線から境目切断線方向に向かって形成された前面上側折り曲げ線とを有することを特徴とする包装箱。
【請求項２】
前記前面上側折り曲げ線は、前面の上縁の端部には達していないことを特徴とする請求項１記載の包装箱。
【請求項３】
前記前面上側折り曲げ線は、前面の上側の端部から斜め下４５°で縦切断線にまで達する第１の線と、前記上縁の端部から縦切断線の上端までの寸法をＡとした場合、前記上縁の端部からＡ／２だけ内側に入った点から垂下される仮想線と、前記第１の線と平行で一端が前記点に接する第２の線と、縦切断線とで囲まれる平行四辺形の範囲内に形成されることを特徴とする請求項１又は２記載の包装箱。
【請求項４】
前記縦切断線から前面の下縁に向かって斜め方向に前面下側折り曲げ線を形成したことを特徴とする請求項１、２又は３記載の包装箱。
【発明の詳細な説明】
【技術分野】
【０００１】
本発明は、商品の輸送のための梱包と、店頭における陳列とに兼用できる包装箱に関する。
【背景技術】
【０００２】
従来のこの種の包装箱としては、特許第３８８３５１７号に係るものがある。
この包装箱は『各一対の端壁及び側壁の上縁からそれぞれ延出した内フラップと外フラップとを重ねて封緘し、側壁の横切線と、側壁から外フラップへ至る２本の縦切線と、外フラップの横切線とを切断して商品を陳列する梱包陳列兼用箱において、各一対の端壁及び側壁から成る周壁の全周に亘って貼着したカットテープの一部を横切線とし、側壁の横切線を両端壁へ回り込ませ、外フラップの横切線を両側縁まで延長し、その下方に重なる内フラップから端壁へ至る横切線を、側壁から回り込んだ横切線まで到達させ、側壁に、カットテープを切り込んで横切線の始端となる切端部を形成し、端壁に、カットテープを切り込んで横切線及び縦切線の終端となる切端部を形成した』ものがある。
【０００３】
【特許文献１】特許第３８８３５１７号公報
【発明の開示】
【発明が解決しようとする課題】
【０００４】
しかしながら、この包装箱を店頭での展示のために開封するには、切端部から両側へカットテープを引っ張って横切線の部分を切端部まで切断する工程と、横切線の切取部分に手を入れて、縦切線及び横切線を切断し、２本の縦切線の間を側壁から外フラップまで取り除く工程と、横切線の残部と縦切線とを切断し、重なり合った内フラップと外フラップの前部、側壁の前部及び側壁の両側部からなる前角部を除去する工程との合計３つの手順を踏む必要がある。
また、縦切線と横切線とを切断する際に側面の上部が湾曲する結果、縦切線がきれいに切断できないという問題もある。このため、側面の上部が湾曲しないように、横切線の切断と縦切線の切断とを別々に行わなければならず、よけいな手間もかかる。
【０００５】
本発明は、上記事情に鑑みて創案されたもので、店頭での展示のために上側外フラップと前面の一部とを同時かつ容易に除去することができる包装箱を提供することを目的としている。
【課題を解決するための手段】
【０００６】
本発明に係る包装箱は、前面と、これに対向する背面と、前記前面及び背面の間に設けられた対向する一対の側面と、前面及び背面の上縁から延設された一対の上側外フラップと、前記一対の側面の上縁から延設された一対の上側内フラップと、前面及び背面の下縁から延設された一対の下側外フラップと、前記一対の側面の下縁から延設された一対の下側内フラップとを備えており、前記前面に形成された２本の縦切断線と、前記前面の上縁の端部と一対の前記縦切断線の上端との間に形成された２本の境目切断線と、前記縦切断線から境目切断線方向に向かって形成された前面上側折り曲げ線とを有している。
【発明の効果】
【０００７】
本発明に係る包装箱は、上側外フラップを上側に引き上げると、外側折り曲げ線が若干山折りとなるので、上側外フラップの上側への引き上げに伴って、境目切断線が上縁の端部から縦切断線の上端に向かってスムーズに切断される。さらに、上側外フラップを前面の外側に向かって引っ張ると、縦切断線の切断が始まるが、前面上側折り曲げ線が若干谷折り状態となり、２本の縦切断線に負荷が加わってスムーズに切断が進む。
これにより、上側外フラップと前面の一部とが同時かつスムーズに除去でき、店頭での展示に適した状態となる。
なお、上側外フラップと前面の一部とが除去されていない状態では、通常の包装箱として使用できることはいうまでもない。
【図面の簡単な説明】
【０００８】
【図１】本発明の実施の形態に係る包装箱の閉ざされた状態を示す概略的斜視図である。
【図２】本発明の実施の形態に係る包装箱の概略的展開図である。
【図３】本発明の実施の形態に係る包装箱の封緘された状態を示す概略的斜視図である。
【図４】本発明の実施の形態に係る包装箱の上側外フラップを境目切断線と開放用切断線とで切断している途中の状態を示す概略的斜視図である。
【図５】本発明の実施の形態に係る包装箱の上側外フラップと前面の一部とを切断している途中の状態を示す概略的斜視図である。
【図６】本発明の実施の形態に係る包装箱の上側外フラップと前面の一部と完全に切断された状態を示す概略的斜視図である。
【図７】本発明の実施の形態に係る包装箱の前面に形成される前面上側折り曲げ線を示す概略的拡大展開図である。
【図８】本発明の実施の形態に係る包装箱の前面に形成される前面上側折り曲げ線が形成可能な範囲を示す概略的拡大展開図である。
【発明を実施するための形態】
【０００９】
本発明の実施の形態に係る包装箱１０００は、前面１００と、これに対向する背面２００と、前記前面１００及び背面２００の間に設けられた対向する一対の側面３００Ａ、３００Ｂと、前面１００及び背面２００の上縁１１０、２１０から延設された一対の上側外フラップ４００Ａ、４００Ｂと、前記一対の側面３００Ａ、３００Ｂの上縁３１０Ａ、３１０Ｂから延設された一対の上側内フラップ５００Ａ、５００Ｂと、前面１００及び背面２００の下縁１２０、２２０から延設された一対の下側外フラップ４１０Ａ、４１０Ｂと、前記一対の側面３００Ａ、３００Ｂの下縁３２０Ａ、３２０Ｂから延設された一対の下側内フラップ５１０Ａ、５１０Ｂとを備えており、前記前面１００に形成された２本の縦切断線１３０Ｌ、１３０Ｒと、前記前面１００の上縁１１０の端部１１１Ｌ、１１１Ｒと一対の前記縦切断線１３０Ｌ、１３０Ｒの上端１３１Ｌ、１３１Ｒとの間に形成された２本の境目切断線６００Ｌ、６００Ｒと、前記縦切断線１３０Ｌ、１３０Ｒから境目切断線６００Ｌ、６００Ｒ方向に向かって形成された前面上側折り曲げ線１４０Ｌ、１４０Ｒとを有している。
【００１０】
この包装箱１０００は、段ボール製でみかん箱タイプと呼ばれることもあるいわゆるＡ式（ＪＩＳ０２０１形）である。かかる包装箱１０００は、封緘された状態から上側外フラップ４００Ａとそれに連なる前面１００の一部を確実に除去することができるようになっている。
従って、この包装箱１０００は、上側外フラップ４００Ａとそれに連なる前面１００の一部を除去することで、内部に収納された物品、例えばスナック菓子等の商品を露出できるので、商品を包装箱１０００から取り出して商品棚に並べずとも包装箱ごと店頭に陳列することができる。
【００１１】
前記前面１００は長方形状に形成されている。前記側面３００Ａは前記前面１００とは高さ寸法は同じであるが、幅寸法が若干小さい長方形状に形成されている。また、前記背面２００は前面１００と同サイズに、側面３００Ｂは側面３００Ａと同サイズに設定されている。
従って、包装箱１０００は、全体として直方体状に形成されている。
【００１２】
前記前面１００には、ミシン目からなる一対の縦切断線１３０Ｌ、１３０Ｒが形成されている。この縦切断線１３０Ｌ、１３０Ｒは、上端が前面１００の上縁１１０にあり、下端が前面１００の下縁１２０にあり、上端１１０及び下端１２０に対して垂直に形成されている。
また、前面１００の上縁１１０には、その端部１１１Ｌ、１１１Ｒと前記縦切断線１３０Ｌ、１３０Ｒの上端１３１Ｌ、１３１Ｒとの間にジッパー線からなる境目切断線６００Ｌ、６００Ｒが形成されている。
【００１３】
また、この前面１００には、前面１００の上縁１１０の端部１１１Ｌ、１１１Ｒから斜め下方向４５°で前記縦切断線１３０Ｌ、１３０Ｒに向かう線上に斜め罫線である前面上側折り曲げ線１４０Ｌ、１４０Ｒが形成されている。
ただし、この前面上側折り曲げ線１４０Ｌ、１４０Ｒは、前記端部１１１Ｌ、１１１Ｒには達していない。例えば、前面上側折り曲げ線１４０Ｌは、図７に示すように、縦切断線１３０Ｌから、端部１１１Ｌと上端１３１Ｌとの間の寸法をＡとした場合、上端１３１Ｌから端部１１１Ｌに向かったＡ／２のポイントから垂下された仮想線ＶＬに達するまでしか形成されていない。
なお、前記前面上側折り曲げ線１４０Ｒは、上述した前面上側折り曲げ線１４０Ｌと同様にして形成されている。
なお、罫線とは、段ボールを箱などの立体的な形状に組み立てる際に綺麗に折り曲がるように、折り曲げる部分をつぶした線のことをいう。
【００１４】
また、前面１００には、縦切断線１３０Ｌ、１３０Ｒから下縁１２０に向かって斜め罫線である前面下側折り曲げ線１５０Ｌ、１５０Ｒが形成されている。この前面下側折り曲げ線１５０Ｌ、１５０Ｒは、縦切断線１３０Ｌ、１３０Ｒから斜め下方向４５°で前面１００の外側に向かって形成されている。
【００１５】
前面１００の上縁１１０からは、前面１００と幅寸法が同じで、前記側面３００Ａ、３００Ｂの幅寸法の約１／２の長さ寸法の上側外フラップ４００Ａが延設されている。
この上側外フラップ４００Ａには、前記上縁１１０と対向する辺に対して平行なジッパー線としての開放用切断線４０１Ａが形成されている。この開放用切断線４０１Ａは、組み立てられた包装箱１０００を開ける場合に、上側外フラップ４００Ａともう一方の上側外フラップ４００Ｂとを跨いで封緘している封緘テープ７００を貼ったまま上側外フラップ４００Ａの一部とともに剥がす際に切断される部分である。
【００１６】
さらに、この上側外フラップ４００Ａの対向する短辺、すなわち上縁１１０と直交する側の縁部であり、前記開放用切断線４０１Ａと上縁１１０とのほぼ中間位置には、半円状の凹部４０２Ｌ、４０２Ｒが形成されている。この凹部４０２Ｌ、４０２Ｒは、上側外フラップ４００Ａ等を除去する際、境目切断線６００Ｌ、６００Ｒ及び開放用切断線４０１Ａを切断するための取っかかりを作るために指等を挿入するためのものである。
【００１７】
また、この上側外フラップ４００Ａには、前記凹部４０２Ｌ、４０２Ｒと、縦切断線１３０Ｌ、１３０Ｒの上端１３１Ｌ、１３１Ｒとの間を結ぶ斜め罫線である外側折り曲げ線４０３Ｌ、４０３Ｒが形成されている。
さらに、上側外フラップ４００Ａには、前記凹部４０２Ｌ、４０２Ｒと、開放用切断線４０１Ａと前記縦切断線１３０Ｌ、１３０Ｒの延長線との交点との間を結ぶ斜め罫線である内側折り曲げ線４０４Ｌ、４０４Ｒが形成されている。
すなわち、この上側外フラップ４００Ａには合計４つの斜め罫線である折り曲げ線が形成されていることになる。
【００１８】
また、この前面１００の下縁１２０からは、前面１００と幅寸法が同じで、前記側面３００Ａ、３００Ｂの幅寸法の約１／２の長さ寸法の下側外フラップ４１０Ａが延設されている。
この下縁１２０のうち、前記縦切断線１３０Ｌ、１３０Ｒの間にはミシン目からなる下縁切断線１２１が形成されている。
【００１９】
一方、背面２００の上縁２１０からは、背面２００と幅寸法が同じで、前記側面３００Ａ、３００Ｂの幅寸法の約１／２の長さ寸法の上側外フラップ４００Ｂが延設されている。この上側外フラップ４００Ｂは、前記上側外フラップ４００Ａと同サイズに設定されている。
また、背面２００の下縁２２０からは、背面２００と幅寸法が同じで、前記側面３００Ａ、３００Ｂの幅寸法の約１／２の長さ寸法の下側外フラップ４１０Ｂが延設されている。この下側外フラップ４１０Ｂは、前記下側外フラップ４１０Ａと同サイズに設定されている。
【００２０】
前記背面２００の一方の縁部（側面３００Ａとは反対側の縁部）には、略台形状の継ぎ代２５０が突出形成されている。この継ぎ代２５０は、もう一方の側面３００Ｂの内側面に連結される部分である。
なお、この背面２００には、前面１００における縦切断線１３０Ｌ、１３０Ｒ、前面上側折り曲げ線１４０Ｌ、１４０Ｒや前面下側折り曲げ線１５０Ｌ、１５０Ｒに相当するものは形成されていない。
【００２１】
また、前記側面３００Ａの上縁３１０Ａからは、側面３００Ａと幅寸法が同じ上側内フラップ５００Ａが延設されている。この上側内フラップ５００Ａは、前記上側内フラップ４００Ａ側の上角部が矩形状に切り欠かれた略Ｌ字形状の変形六角形状に形成されている。これは、上側外フラップ４００Ａが取り除かれた場合に露出する部分を切り欠くためである。
従って、上側内フラップ５００Ａのこの切り欠かれた部分は、上縁３１０Ａに直交する短辺では上縁１１０の端部１１１Ｒと縦切断線１３０Ｒの上端１３１Ｒとの間の寸法に相当する寸法だけが残され、上縁３１０Ｂに平行な長辺では開放用切断線４０１Ａと上縁１１０の間の寸法に相当する寸法だけ切り欠かれることになる。
なお、もう一方の側面３００Ｂの上縁３１０Ｂに連設される上側内フラップ５００Ｂは、上述した上側内フラップ５００Ａと左右対称に形成されている。
【００２２】
上述したような前面１００、背面２００及び一対の側面３００Ａ、３００Ｂは、図２に示すように、一方の側面３００Ｂ、前面１００、他方の側面３００Ａ、背面２００の順に連なって形成されている
【００２３】
上述のような各面から構成された包装箱１０００は、図３に示すように、上側内フラップ５００Ａと上側内フラップ５００Ｂとの上から、上側外フラップ４００Ａと上側外フラップ４００Ｂとが閉じられ、封緘テープ７００が上側外フラップ４００Ａと上側外フラップ４００Ｂとに跨がって貼り付けられることで上面が封緘される。もちろん、底面も下側内フラップ５１０Ａと下側内フラップ５１０Ｂとの上から、下側外フラップ４１０Ａと下側外フラップ４１０Ｂとが閉じられ、封緘テープ７１０が下側外フラップ４１０Ａと下側外フラップ４１０Ｂとに跨がって貼り付けられることで封緘される。
【００２４】
このように封緘された包装箱１０００は、以下のような手順で上側外フラップ４００Ａとそれに連なる前面１００の一部を除去できる。
まず、封緘テープ７００で封緘されたままの状態で凹部４０２Ｌ、４０２Ｒに指等を挿入し、上側外フラップ４００Ａを上側に引き上げる。
すると、図４に示すように、外側折り曲げ線４０３Ｌ、４０３Ｒと内側折り曲げ線４０４Ｌ、４０４Ｒとで囲まれた部分が持ち上げられるので、外側折り曲げ線４０３Ｌ、４０３Ｒと内側折り曲げ線４０４Ｌ、４０４Ｒとが若干山折りとなる。そして、上側外フラップ４００Ａの上側への引き上げに伴って、境目切断線６００Ｌ、６００Ｒが上縁１１０の端部１１１Ｌ、１１１Ｒから縦切断線１３０Ｌ、１３０Ｒの上端１３１Ｌ、１３１Ｒに向かって切断される。また、これと同時に開放用切断線４０１Ａも内側に向かって切断される。
外側折り曲げ線４０３Ｌ、４０３Ｒが若干山折りとなることで境目切断線６００Ｌ、６００Ｒのスムーズな切断が促進され、内側折り曲げ線４０４Ｌ、４０４Ｒとが若干山折りとなることで開放用切断線４０１Ａのスムーズな切断が促進される。
【００２５】
境目切断線６００Ｌ、６００Ｒが、縦切断線１３０Ｌ、１３０Ｒの上端１３１Ｌ、１３１Ｒまで切断された後も、引き続いて開放用切断線４０１Ａを切断する。
開放用切断線４０１Ａが完全に切断されたならば、上側外フラップ４００Ａは、図５に示すように前面１００と面一になる。
【００２６】
このような状態の上側外フラップ４００Ａを前面１００の外側に向かって引っ張ると、図５に示すように、前面上側折り曲げ線１４０Ｌ、１４０Ｒが若干谷折り状態となり、２本の縦切断線１３０Ｌ、１３０Ｒに負荷が加わって切断される。
ここで、前面上側折り曲げ線１４０Ｌ、１４０Ｒが若干谷折り状態となることで、縦切断線１３０Ｌ、１３０Ｒが確実に切断されるとともに、切断がスムーズに下方向に進む。
【００２７】
もし、前面上側折り曲げ線１４０Ｌ、１４０Ｒが形成されていないと、前面１００を手前側に引っ張っても前面１００全体が湾曲するため、縦切断線１３０Ｌ、１３０Ｒに対して切断のための力が伝わりにくくなり、縦切断線１３０Ｌ、１３０Ｒの切断がスムーズにいかないことが考えられる。また、場合によっては、２本の縦切断線１３０Ｌ、１３０Ｒが切断されない事態もありうる。
【００２８】
２本の縦切断線１３０Ｌ、１３０Ｒの切断が前面下側折り曲げ線１５０Ｌ、１５０Ｒの部分まで達すると、この前面下側折り曲げ線１５０Ｌ、１５０Ｒが若干谷折りとなり、縦切断線１３０Ｌ、１３０Ｒの下縁１２０までの切断がスムーズになる。
【００２９】
縦切断線１３０Ｌ、１３０Ｒを前面１００の下縁まで切断した後に、下縁切断線１２１を切断すると、図６に示すように、上側外フラップ４００Ａ及び前面１００の一部（縦切断線１３０Ｌ、１３０Ｒで挟まれた部分）とが一体的に除去される。
【００３０】
上述した実施の形態にかかる包装箱１０００では、上側外フラップ４００Ａには、外側折り曲げ線４０３Ｌ、４０３Ｒと、内側折り曲げ線４０４Ｌ、４０４Ｒとの合計４本の折り曲げ線が形成されているが、内側折り曲げ線４０４Ｌ、４０４Ｒはなくてもよい。
【００３１】
また、上述した実施の形態にかかる包装箱１０００では、前面上側折り曲げ線１４０Ｌ、１４０Ｒは、前面１００の上縁１１０の端部１１１Ｌ、１１１Ｒにまでは達していない。
すなわち、上述した実施の形態にかかる包装箱１０００では、前面上側折り曲げ線１４０Ｌは、図７に示すように、縦切断線１３０Ｌから、端部１１１Ｌと上端１３１Ｌとの間の寸法をＡとした場合、上端１３１Ｌから端部１１１Ｌに向かったＡ／２のポイントから垂下された仮想線ＶＬに達するまでしか形成されていないとした。
これは、一般的にこの種の段ボール製の包装箱は、包装箱のコーナー部で上下方向の強度を他の部分より多く確保しているため、前記端部１１１Ｌ、１１１Ｒに折り曲げ線を形成すると、上下方向の強度が低下してしまい、積み上げられると胴膨れや倒壊といった事故が発生する危険性があるためである。
このため、前記前面上側折り曲げ線１４０Ｌ、１４０Ｒは、前面１００の上縁１１０の端部１１１Ｌ、１１１Ｒまでは達していないのが望ましいのである。
【００３２】
ただし、包装箱１０００を構成する素材等によって上下方向の強度が十分に確保されているのであれば、前記前面上側折り曲げ線１４０Ｌ、１４０Ｒを前面１００の上縁１１０の端部１１１Ｌ、１１１Ｒまで形成することも可能である。
【００３３】
前面上側折り曲げ線１４０Ｌは、図７に示したもののみに限定されることはなく、図８にハッチングで示した範囲に形成されればよい。
この範囲は、図７に示した前面上側折り曲げ線１４０Ｌ（第１の線に相当する）と、この前面上側折り曲げ線１４０Ｌより上方の仮想線ＶＬと、前記前面上側折り曲げ線１４０Ｌと平行でかつ一端が境目切断線６００Ｌに接する平行線ＰＬ（第２の線に相当する）と、縦切断線１３０Ｌとで囲まれた平行四辺形状の範囲である。
なぜなら、前面上側折り曲げ線１４０Ｌが境目切断線６００Ｌに近すぎると、２本の縦切断線１３０Ｌ、１３０Ｒで挟まれた部分を手前に引っ張っても谷折り状に折れ曲がらないという問題点がある。
また、前面上側折り曲げ線１４０Ｌが下位置すぎると、縦切断線１３０Ｌの最初の切断がスムーズにならないという問題点がある。
本発明の発明者は、実験を繰り返した結果、前面上側折り曲げ線１３０Ｌが形成される範囲は上述の範囲とすることで、スムーズな縦切断線１３０Ｌの切断が可能になることを見出した。
なお、上記の説明は前面上側折り曲げ線１３０Ｌについて行ったが、もう一方の前面上側折り曲げ線１３０Ｒについても同様である。
【００３４】
また、上述した実施の形態では、前面１００には縦切断線１３０Ｌ、１３０Ｒから下縁１２０に向かって斜め罫線である前面下側折り曲げ線１５０Ｌ、１５０Ｒが形成されているとしたが、この前面下側折り曲げ線１５０Ｌ、１５０Ｒを形成しないことも可能である。
【符号の説明】
【００３５】
１００    前面
１１０    （前面の）上縁
１１１Ｌ  （前面の上縁の）端部
１１１Ｒ  （前面の上縁の）端部
１２０    （前面の）下縁
１３０Ｌ  縦切断線
１３０Ｒ  縦切断線
１３１Ｌ  （縦切断線の）上端
１３１Ｒ  （縦切断線の）上端
１４０Ｌ  前面上側折り曲げ線
１４０Ｒ  前面上側折り曲げ線
２００    背面
２１０    （背面の）上縁
２２０    （背面の）下縁
３００Ａ  側面
３００Ｂ  側面
３１０Ａ  （側面の）上縁
３１０Ｂ  （側面の）上縁
３２０Ａ  （側面の）下縁
３２０Ｂ  （側面の）下縁
４００Ａ  上側外フラップ
４００Ｂ  上側外フラップ
４１０Ａ  下側外フラップ
４１０Ｂ  下側外フラップ
５００Ａ  上側内フラップ
５００Ｂ  上側内フラップ
５１０Ａ  下側内フラップ
５１０Ｂ  下側内フラップ
６００Ｌ  境目切断線
６００Ｒ  境目切断線
【図１】
0006531037.tif 000002
【図２】
0006531037.tif 000003
【図３】
0006531037.tif 000004
【図４】
0006531037.tif 000005
【図５】
0006531037.tif 000006
【図６】
0006531037.tif 000007
【図７】
0006531037.tif 000008
【図８】
0006531037.tif 000009